(57)【特許請求の範囲】
【請求項１】
二本の縦枠（１）の内側端部に出っ張り部（９）を設けることにより、前記縦枠（１）の内側に段部（１ｂ）を形成し、この段部（１ｂ）に両端を直角に切り落とした横枠（２）の端部を突き合わせ、さらに連結具（３）で縦枠（１）と横枠（２）を連結した戸当枠であって、横枠（２）の前方側部に設けた案内溝（１１）に、表枠（１２）の後方側部に設けた案内レール（１３）をスライド自在に挿入し、横枠（２）の前方側部に表枠（１２）の上下部を出っ張らせて出っ張り部（１２ａ、１２ｂ）とすることにより、横枠（２）の内側に段部（２ｂ）を形成すると共に、横枠（２）の外側端部に設けた出っ張り部（１４）との間に長溝（２ｃ）を形成したことを特徴とする戸当枠。
【請求項２】
表枠（１２）の厚みを縦枠（１）の出っ張り部（９）の幅より薄くしたことを特徴とする請求項１記載の戸当枠。
【発明の詳細な説明】
【０００１】
【発明の属する技術分野】
この発明は、一般的にハイパーティションと呼ばれ、オフィスビル等の建築物の各部屋の内部をさらに小部屋に仕切るために使用されている間仕切りの戸当枠に関するものである。
【０００２】
【従来の技術】
従来、この種の戸当枠は、図４、５に示したように、二本の縦枠１と一本の横枠２とを連結することにより構成していた。すなわち、前記二本の縦枠１のそれぞれの上端の角部１ａを４５度に切り落とし、前記横枠２の両端の角部２ａ、２ａを４５度に切り落とし、一方の縦枠１の角部１ａと横枠２の一端の角部２ａを互いに突き合わせると共に、他方の縦枠１の角部１ａと横枠２のもう一端の角部２ａを互いに突き合わせる。そして、それぞれの角部１ａ、２ａの内部に止め部材２０の嵌合部２０ａ、２０ａを嵌め込んで、角部１ａ、２ａを固定している。そして、この戸当枠の縦枠１と横枠２の内側に形成した段部１ｂ、２ｂにドア１５を嵌め込み、縦枠１の外側に形成した長溝１ｃに間仕切りパネル１６を嵌め込み、横枠２の外側に形成した長溝２ｃに天窓１７の枠体１７ａを嵌め込むことにより、間仕切りに取り付けている。
【０００３】
【発明が解決しようとする課題】
間仕切りを施工する際に、施工現場で設置場所の寸法に合わせて材料を切断するのであるが、戸当枠は段部１ｂが突出しているため、横枠２を直角に切り落として横枠２の端部を縦枠１に突き合わせて連結することができず、突き合わせて連結するためには縦枠１と横枠２の角部１ａ、２ａを４５度に切り落とさなければならないので、製造が難しいという課題を有していた。
【０００４】
しかも、切り落とした角部１ａ、２ａをぴったり４５度にしないと、それぞれの角部１ａ、２ａを互いに突き合わせても、角度が９０度にならず隙間ができて体裁が悪くなるという課題を有していた。
【０００５】
さらに、４５度どうしの角部１ａ、２ａを突き合わせる構造では、少しでもその突き合わせがずれると、縦枠１と横枠２の間に段差ができて体裁が悪くなるという課題を有していた。
【０００６】
そこで、この発明は、上記従来の戸当枠が有する課題を解決するものであり、製造が容易であり、しかも縦枠１と横枠２の突き合わせが多少ずれても体裁の良い戸当枠を提供することを目的としてなされたものである。
【０００７】
【課題を解決するための手段】
そのため、この発明では、二本の縦枠１の内側端部に出っ張り部９を設けることにより、前記縦枠１の内側に段部１ｂを形成し、この段部１ｂに両端を直角に切り落とした横枠２の端部を突き合わせ、さらに連結具３で縦枠１と横枠２を連結した戸当枠であって、横枠２の前方側部に設けた案内溝１１に、表枠１２の後方側部に設けた案内レール１３をスライド自在に挿入し、横枠２の前方側部に表枠１２の上下部を出っ張らせて出っ張り部１２ａ、１２ｂとすることにより、横枠２の内側に段部２ｂを形成すると共に、横枠２の外側端部に設けた出っ張り部１４との間に長溝２ｃを形成した戸当枠とした。
【０００８】
上記の構成とすることにより、縦枠１及び横枠２の端部を直角に切り落として突き合わせる構造であるので、簡単に寸法に合わせて切り落とすことができる。また、縦枠１と横枠２の突き合わせが多少ずれても、突き合わせ部が縦枠１の出っ張り部９に隠れて見えないだけでなく、縦枠１と横枠２の間の隙間が略均一になっているので目立たない。
【０００９】
請求項２記載の発明のように、請求項１記載の発明の構成に加え、表枠１２の厚みを縦枠１の出っ張り部９の幅より薄くしたものとすれば、表枠１２の切り口が出っ張り部９に隠れて見えなくなる。
【００１０】
【発明の実施の形態】
以下、この発明の戸当枠の実施の形態を、図面に基づいて詳細に説明する。
【００１１】
この発明の戸当枠は、図１、２に示したように、アルミ等の軽金属押出型材からなる二本の縦枠１と、アルミ等の軽金属押出型材からなる一本の横枠２とを、鋼板等で形成され、直角に折り曲げた両折曲片３ａ、３ａを有する連結具３により連結し、さらに横枠２の前方側部にアルミ等の軽金属押出型材からなる表枠１２を取り付けて成るものである。
【００１２】
すなわち、前記二本の縦枠１のそれぞれの上端の直角に切り落とした角部１ａの内側に切り込み４を設け、さらにこれら切り込み４の下方にそれぞれボルト挿入穴５を設け、前記一本の横枠２の両端の直角に切り落とした角部２ａの内側にはそれぞれボルト挿入穴６を設けている。そして、一方の縦枠１の角部１ａの内側と横枠２の一端の角部２ａを互いに突き合わせると共に、他方の縦枠１の角部１ａと横枠２のもう一端の角部２ａの内側を互いに突き合わせ、前記縦枠１の切り込み４と横枠２の角部２ａからこれら縦枠１および横枠２の内部に前記連結具３をあてがう。さらに、これら縦枠１および横枠２のボルト挿入穴５、６から前記連結具３の両折曲片３ａ、３ａにそれぞれ設けたボルト穴７、７に止めボルト８、８をそれぞれねじ込んで、縦枠１と横枠２とを連結している（図２、図３参照）。
【００１３】
また、この発明の戸当枠では、前記縦枠１の内側端部に出っ張り部９を設けることにより、縦枠１の内側に段部１ｂを形成すると共に、縦枠１の外側両端部に出っ張り部１０、１０を設けることにより、これら出っ張り１０、１０の間に長溝１ｃを形成している。さらに、前記横枠２の前方側部に設けた蟻溝形状の案内溝１１に、表枠１２の後方側部に設けた前記案内溝１１と対応する形状の案内レール１３をスライド自在に挿入し、横枠２の前方側部に表枠１２の上下部を出っ張らせて出っ張り部１２ａ、１２ｂとすることにより、横枠２の内側に段部２ｂを形成すると共に、横枠２の外側端部に設けた出っ張り部１４との間に長溝２ｃを形成している（図３参照）。そして、前記縦枠１と横枠２の内側に形成した前記段部１ｂ、２ｂにドア１５を嵌め込み、縦枠１の外側に形成した長溝１ｃに間仕切りパネル１６を嵌め込み、横枠２の外側に形成した長溝２ｃに天窓１７の枠体１７ａを嵌め込むことにより、この発明の戸当枠を間仕切りに取り付けている（図１参照）。
【００１４】
このように構成されたこの発明の戸当枠は、前記したように縦枠１および横枠２のボルト挿入穴５、６から連結具３の両折曲片３ａ、３ａのボルト穴７、７に止めボルト８、８をそれぞれねじ込んで、縦枠１と横枠２を連結している。
【００１５】
このとき、横枠２の前方側部は、縦枠１の内側端部の出っ張り部９に当接し、横枠２の後方側部は、縦枠１の後方側部と面一になるようになっている。
【００１６】
また、表枠１２の前後方向の厚みは、縦枠１の出っ張り部９の幅より僅かに薄くなっており、表枠１２の切断面が縦枠１に隠れて見えないようになっている。
【００１７】
【発明の効果】
この発明の戸当枠は、以上に述べたように構成されており、縦枠１及び横枠２の端部を直角に切り落とした状態で突き合わせて固定できるので、簡単に寸法に合わせて切り落とすことができ製造し易い。さらに、縦枠１と横枠２の突き合わせが多少ずれても、突き合わせ部が縦枠１の出っ張り部９に隠れて見えないだけでなく、縦枠１と横枠２の間の隙間が略均一になっているので目立たず、体裁がよいものとなった。
【００１８】
さらに、請求項２記載の発明のように、請求項１記載の発明の構成に加え、表枠１２の厚みを縦枠１の出っ張り部９の幅より薄くしたものとすれば、表枠１２の切り口が出っ張り部９に隠れて見えなくなるので、さらに体裁がよいものとなった。
【図面の簡単な説明】
【図１】この発明の戸当枠を間仕切りに取り付けた状態を示す説明図である。
【図２】この発明の戸当枠の要部を分解して示す斜視図である。
【図３】この発明の戸当枠の要部を示す斜視図である。
【図４】従来の戸当枠を間仕切りに取り付けた状態を示す説明図である。
【図５】従来の戸当枠の要部を分解して示す斜視図である。
【符号の説明】
１  縦枠
１ｂ  段部
２  横枠
２ｂ  段部
２ｃ  長溝
３  連結具
９  出っ張り部
１１  案内溝
１２  表枠
１２ａ  出っ張り部
１２ｂ  出っ張り部
１２  表枠
１４  出っ張り部
【図１】
0003629669.tif 000002
【図２】
0003629669.tif 000003
【図３】
0003629669.tif 000004
【図４】
0003629669.tif 000005
【図５】
0003629669.tif 000006